(57)【特許請求の範囲】
【請求項１】
燃料ガスと燃焼用空気との混合気の空気比を測定する空気比測定方法であって、
前記混合気に希釈空気を混合させた測定用混合気を測定用バーナに供給して、前記測定用混合気を前記測定用バーナにて燃焼させ、
前記測定用バーナに供給する前記希釈空気の供給量を検出し、前記測定用バーナに供給する前記混合気の供給量を検出し、前記測定用バーナにて燃焼された燃焼排ガス中の残存酸素ガス濃度を検出して、
前記希釈空気の供給量、前記混合気の供給量、および、前記測定用バーナにて燃焼された燃焼排ガス中の残存酸素ガス濃度に基づいて、前記混合気の空気比を求める空気比測定方法。
【請求項２】
燃料ガスと燃焼用空気との混合気の空気比を測定する空気比測定装置であって、
前記混合気に希釈空気を混合させた測定用混合気を測定用バーナに供給して、前記測定用混合気を前記測定用バーナにて燃焼させる測定用バーナ燃焼手段が設けられ、
前記測定用バーナに供給する前記希釈空気の供給量を検出する希釈空気供給量検出手段と、前記測定用バーナに供給する前記混合気の供給量を検出する混合気量検出手段と、前記測定用バーナにて燃焼された燃焼排ガス中の残存酸素ガス濃度を検出する酸素ガス濃度検出手段とが設けられ、
前記希釈空気供給量検出手段による検出情報、前記混合気量検出手段による検出情報、および、前記酸素濃度検出手段による検出情報に基づいて、前記混合気の空気比を求める空気比演算手段が設けられている空気比測定装置。
【請求項３】
請求項２に記載の空気比測定装置を用いた燃焼制御装置であって、
燃料ガスと燃焼用空気との燃焼用混合気を燃焼用バーナに供給する混合気供給手段と、前記燃焼用混合気の空気比を調整する空気比調整手段とが設けられ、
前記空気比測定装置が、前記混合気供給手段にて前記燃焼用バーナに供給する前記燃焼用混合気の一部を、前記混合気として取り入れて、その混合気の空気比を測定するように構成され、
前記空気比調整手段が、前記空気比測定装置により測定される空気比に基づいて、前記燃焼用混合気の空気比を調整するように構成されている燃焼制御装置。
【発明の詳細な説明】
【０００１】
【発明の属する技術分野】
本発明は、燃料ガスと燃焼用空気との混合気の空気比を測定する空気比測定方法および空気比測定装置、ならびに、その空気比測定装置を用いた燃焼制御装置に関する。
【０００２】
【従来の技術】
上記のような空気比測定方法や空気比測定装置にて測定された空気比は、混合気を燃焼用バーナにて燃焼させるにあたり、その混合気を適正な空気比に調整するための情報などとして用いられることになる。
そして、空気比測定方法としては、燃料ガスと燃焼用空気との混合気を燃焼する燃焼用バーナの燃焼排ガス中の残存酸素ガス濃度を検出して、その残存酸素ガス濃度より、空気比が１．０以上のどれくらいの値であるかを判別する方法が、従来より用いられている。
また、空気比測定装置としては、上記空気比測定方法と同じ原理に基づくものであり、前記燃焼用バーナの燃焼排ガス中の残存酸素ガス濃度を検出する残存酸素ガス濃度検出手段と、その残存酸素ガス濃度検出手段の検出情報に基づいて、空気比が１．０以上のどれくらいの値であるかを判別する空気比演算手段とを備えさせて、空気比を測定する装置が、従来より用いられている。
さらに、空気比測定装置を用いた燃焼制御装置としては、上述の残存酸素濃度検出手段および空気比演算手段とを備えた空気比測定装置を用いて、その空気比測定装置により測定される空気比に基づいて、混合気の空気比を調整する空気比調整手段を備えさせて、燃焼用バーナの燃焼を制御する装置が、従来より用いられている。
【０００３】
【発明が解決しようとする課題】
例えば、工業炉などでは、一次空気と燃料ガスとを混合した混合気を燃焼用バーナに供給し、その燃焼用バーナに供給される混合気の空気比を１．０未満に設定し、燃焼用バーナの周辺の空気を二次空気として吸引することによって、燃焼用バーナを燃焼させており、燃焼用バーナに１．０未満の混合気を供給する場合もある。
この場合には、燃焼用バーナに供給される二次空気の供給量を正確に検出することが難しいなどの理由から、燃焼用バーナに供給される空気比が１．０未満の混合気の空気比を検出する必要があり、空気比が１．０未満であっても、その混合気の空気比を検出することに対する要求がある。
【０００４】
しかしながら、上記従来の空気比測定方法および空気比測定装置では、燃焼用バーナの燃焼排ガス中に残存する残存酸素ガス濃度から混合気の空気比を求めるという原理を利用して、混合気の空気比を求めるものであるため、この原理では、混合気の空気比が１．０以上に限って混合気の空気比を求めることが可能であり、混合気の空気比が１．０未満のときには、混合気の空気比を求めることができないものとなっている。
【０００５】
ちなみに、空気比が１．０未満の混合気についても、その混合気の空気比を検出するものとして、ガスクロマトグラフィーなどの装置を用いることが考えられるが、この場合には、ガスクロマトグラフィーなどの装置を設置する必要があり、装置自体も高価なものであり、設置作業が大掛かりなものとなって、大幅なコストアップおよび構成の複雑化を招くことになる。さらに、混合気中の酸素ガス濃度は、空気比が変化しても、燃焼排ガス中の酸素ガス濃度に比べて、変化量が小さいために、空気比の算定精度が劣ることになる。
【０００６】
本発明は、かかる点に着目してなされたものであり、空気比が１．０未満であっても、その混合気の空気比を測定することが可能となる空気比測定方法および空気比測定装置、ならびに、その空気比測定装置を用いた燃焼制御装置を提供する点にある。
【０００７】
【課題を解決するための手段】
この目的を達成するために、請求項１に記載の発明によれば、燃料ガスと燃焼用空気との混合気の空気比を測定する空気比測定方法において、
前記混合気に希釈空気を混合させた測定用混合気を測定用バーナに供給して、前記測定用混合気を前記測定用バーナにて燃焼させ、前記測定用バーナに供給する前記希釈空気の供給量を検出し、前記測定用バーナに供給する前記混合気の供給量を検出し、前記測定用バーナにて燃焼された燃焼排ガス中の残存酸素ガス濃度を検出して、前記希釈空気の供給量、前記混合気の供給量、および、前記測定用バーナにて燃焼された燃焼排ガス中の残存酸素ガス濃度に基づいて、前記混合気の空気比を求める。
【０００８】
すなわち、混合気に希釈空気を混合させた測定用混合気を測定用バーナに供給して燃焼させるようにしているので、混合気の空気比が１．０未満であっても、その混合気に希釈空気を混合させて、測定用混合気の空気比を１．０以上として、測定用バーナの燃焼排ガス中に、酸素ガスを残存させることが可能となる。
そして、測定用バーナに供給する希釈空気の供給量、および、測定用バーナに供給する混合気の供給量を検出することによって、測定用バーナの燃焼排ガス量および測定用バーナにて燃焼されたあとの過剰空気量などと、測定用バーナの燃焼排ガス中の残存酸素ガス濃度との関係式を利用して、混合気の空気比を求めることが可能となる。
【０００９】
以上のことをまとめると、混合気の空気比が１．０未満であっても、その混合気に希釈空気を混合させて、測定用バーナの燃焼排ガス中に、酸素ガスを残存させ、その測定用バーナの燃焼排ガス中の残存酸素ガス濃度に加えて、測定用バーナに供給する希釈空気の供給量、および、測定用バーナに供給する混合気の供給量を検出することによって、混合気の空気比を求めることが可能となる。
したがって、空気比が１．０未満であっても、その混合気の空気比を測定することが可能となる空気比測定方法を提供できるに到った。
【００１０】
ちなみに、この空気比測定方法では、測定用バーナの燃焼排ガス量および測定用バーナにて燃焼されたあとの過剰空気量などと、測定用バーナの燃焼排ガス中の残存酸素ガス濃度との関係式を利用して、混合気の空気比を瞬時に求めることが可能となるので、ある時点の混合気の空気比を求めたり、混合気の空気比を連続して求めることが可能となる。
そして、一定時間毎に混合気の空気比を求めて、その求めた混合気の空気比を監視することによって、長時間にわたる混合気の空気比の変化を把握することも可能となる。
【００１１】
請求項２に記載の発明によれば、燃料ガスと燃焼用空気との混合気の空気比を測定する空気比測定装置において、
前記混合気に希釈空気を混合させた測定用混合気を測定用バーナに供給して、前記測定用混合気を前記測定用バーナにて燃焼させる測定用バーナ燃焼手段が設けられ、前記測定用バーナに供給する前記希釈空気の供給量を検出する希釈空気供給量検出手段と、前記測定用バーナに供給する前記混合気の供給量を検出する混合気量検出手段と、前記測定用バーナにて燃焼された燃焼排ガス中の残存酸素ガス濃度を検出する酸素ガス濃度検出手段とが設けられ、
前記希釈空気供給量検出手段による検出情報、前記混合気量検出手段による検出情報、および、前記酸素濃度検出手段による検出情報に基づいて、前記混合気の空気比を求める空気比演算手段が設けられている。
【００１２】
すなわち、混合気に希釈空気を混合させた測定用混合気測定用バーナにて燃焼させる測定用バーナ燃焼手段が設けられているので、混合気の空気比が１．０未満であっても、その混合気に希釈空気を混合させて、測定用混合気の空気比を１．０以上として、測定用バーナの燃焼排ガス中に、酸素ガスを残存させることが可能となる。
そして、希釈空気供給量検出手段にて測定用バーナに供給する希釈空気の供給量を検出し、混合気量検出手段にて測定用バーナに供給する混合気の供給量を検出することによって、空気比演算手段が、測定用バーナの燃焼排ガス量および測定用バーナにて燃焼されたあとの過剰空気量などと、酸素濃度検出手段にて検出される測定用バーナの燃焼排ガス中の残存酸素ガス濃度との関係式を利用して、混合気の空気比を求めることが可能となる。
【００１３】
以上のことをまとめると、混合気の空気比が１．０未満であっても、その混合気に希釈空気を混合させて、測定用バーナの燃焼排ガス中に、酸素ガスを残存させ、空気比演算手段が、酸素濃度検出手段による検出情報、希釈空気供給量検出手段による検出情報、および、混合気量検出手段による検出情報に基づいて、混合気の空気比を求めることが可能となる。
したがって、空気比が１．０未満であっても、その混合気の空気比を測定することが可能となる空気比測定装置を提供できるに到った。
【００１４】
ちなみに、この空気比測定装置では、空気比演算手段が、測定用バーナの燃焼排ガス量および測定用バーナにて燃焼されたあとの過剰空気量などと、酸素濃度検出手段にて検出される測定用バーナの燃焼排ガス中の残存酸素ガス濃度との関係式を利用して、混合気の空気比を瞬時に求めることが可能となるので、ある時点の混合気の空気比を求めたり、混合気の空気比を連続して求めることが可能となる。
そして、一定時間毎に混合気の空気比を求めて、その求めた混合気の空気比を監視することによって、長時間にわたる混合気の空気比の変化を把握することも可能となる。
【００１５】
請求項３に記載の発明によれば、請求項２に記載の空気比測定装置を用いた燃焼制御装置において、
燃料ガスと燃焼用空気との燃焼用混合気を燃焼用バーナに供給する混合気供給手段と、前記燃焼用混合気の空気比を調整する空気比調整手段とが設けられ、
前記空気比測定装置が、前記混合気供給手段にて前記燃焼用バーナに供給する前記燃焼用混合気の一部を、前記混合気として取り入れて、その混合気の空気比を測定するように構成され、前記空気比調整手段が、前記空気比測定装置により測定される空気比に基づいて、前記燃焼用混合気の空気比を調整するように構成されている。
【００１６】
すなわち、請求項２との協働作用により、燃焼用混合気の一部を混合気として空気比測定装置に取り入れて、その空気比が１．０未満であっても、空気比演算手段が、その取り入れた混合気の空気比を求め、その求められた空気比に基づいて、燃焼用混合気の空気比を設定空気比などに空気比調整手段にて調整することが可能となる。
したがって、空気比が１．０未満であっても、その燃焼用混合気の空気比を測定し、燃焼用混合気の空気比を設定空気比などに自動的に調整することが可能となる空気比測定装置を用いた燃焼制御装置を提供できるに到った。
ちなみに、空気比測定装置には、燃焼用バーナに供給される燃焼用混合気の一部を取り入れるので、空気比測定装置の小型化を図ることが可能となる。
【００１７】
【発明の実施の形態】
本発明にかかる空気比測定装置を用いた燃焼制御装置を例に挙げて、図面に基づいて説明する。
この燃焼制御装置は、工業炉などに用いられ、図１に示すように、複数の燃焼用バーナ１と、燃料ガスと燃焼用空気との燃焼用混合気を燃焼用バーナ１に供給する混合気供給手段としてのベンチュリーミキサー２と、そのベンチュリーミキサー２にて混合された燃焼用混合気の一部を、混合気として取り入れて、その混合気の空気比を測定する空気比測定装置４と、その空気比測定装置４により測定される空気比に基づいて、燃焼用混合気の空気比を調整する燃焼制御部Ｈなどから構成されている。
【００１８】
そして、ベンチュリーミキサー２には、燃料ガスの供給量を調整して、燃焼用混合気の空気比を調整するニードル調整バルブ３が備えられ、燃焼制御部Ｈは、空気比測定装置４により測定される空気比に基づいて、ニードル調整機構３を調整させて、燃焼用混合気の空気比を調整するように構成され、燃焼制御部Ｈおよびニードル調整機構３により空気比調整手段Ｋが構成されている。
説明を加えると、燃焼制御部Ｈは、後述する空気比測定装置４の空気比演算手段１５にて求められる燃焼用混合気の空気比が設定値または設定範囲から外れていると、燃焼用混合気の空気比が設定値または設定範囲になるように、ニードル調整バルブ３を調整するように構成されている。
【００１９】
前記ベンチュリーミキサー２は、燃料ガス供給路５を通して供給される燃料ガスと燃焼用空気供給路６を通して供給される燃焼用空気とを混合し、燃料ガスと燃焼用空気とを混合した燃焼用混合気を燃焼用混合気供給路７を通して燃焼用バーナ１に供給するように構成されている。
前記燃焼用空気供給路６には、燃焼用空気の流量を調整する空気制御弁８が設けられ、燃料ガス供給路５には、空気制御弁８にて調整された燃焼用空気の流量に応じて、燃料ガスの流量を調整するゼロガバナ９が設けられている。
【００２０】
前記空気制御弁８、ゼロガバナ９、および、ニードル調整バルブ３の調整により、燃焼用バーナ１に供給される燃焼用混合気の空気比が、例えば、０．６〜０．９程度になるように設定され、燃焼用バーナ１は、燃焼用バーナ１周辺の空気を二次空気として、燃焼用混合気を燃焼させるように構成されている。
ちなみに、燃焼用バーナ１は、例えば、２０本の燃焼用バーナ１から構成され、燃焼用混合気供給路７が、複数の燃焼用バーナ１に燃焼用混合気を供給すべく、燃焼用バーナ１の数に対応して分岐するように構成されている。
【００２１】
前記空気比測定装置４は、図２に示すように、燃焼用混合気の一部を混合気として取り入れて、その混合気に希釈空気を混合させた測定用混合気を測定用バーナ１０にて燃焼させる測定用バーナ燃焼手段１１、測定用バーナ１０に供給する希釈空気の供給量を検出する希釈空気供給量検出手段としての質量式の希釈空気流量センサ１２、測定用バーナ１０に供給する混合気の供給量を検出する混合気量検出手段としての質量式の混合気流量センサ１３、測定用バーナ１０にて燃焼された燃焼排ガス中の残存酸素ガス濃度を検出する酸素ガス濃度検出手段としての磁気式の酸素センサ１４などから構成され、希釈空気流量センサ１２による検出情報、混合気流量センサ１３による検出情報、および、酸素センサ１４による検出情報に基づいて、混合気の空気比を求める空気比演算手段１５が設けられている。
【００２２】
すなわち、空気比測定装置４における空気比測定方法は、燃焼用混合気に希釈空気を混合させた測定用混合気を測定用バーナ１０に供給して、測定用混合気を測定用バーナ１０にて燃焼させ、測定用バーナ１０に供給する希釈空気の供給量を検出し、測定用バーナ１０に供給する燃焼用混合気の供給量を検出し、測定用バーナ１０にて燃焼された燃焼排ガス中の残存酸素ガス濃度を検出して、希釈空気の供給量、燃焼用混合気の供給量、および、測定用バーナにて燃焼された燃焼排ガス中の残存酸素ガス濃度に基づいて、燃焼用混合気の空気比を求めるようにしている。
【００２３】
説明を加えると、空気比測定装置４は、燃焼用混合気の一部（例えば、０．０２〜０．１ｍ3 ／ｈ）を混合気として取り入れて、その混合気に希釈空気を混合させた測定用混合気を測定用バーナ１０にて燃焼させ、混合気の空気比が１．０未満であっても、希釈空気を混合させて空気比を１．０以上（例えば、１．２程度）とした測定用混合気を測定用バーナ１０にて燃焼させて、燃焼排ガス中に酸素ガスが残存するように構成されている。
そして、測定用バーナ１０に供給する希釈空気の供給量、および、測定用バーナ１０に供給する混合気の供給量を検出することによって、測定用バーナ１０の燃焼排ガス量および測定用バーナ１０にて燃焼されたあとの過剰空気量などと、測定用バーナ１０の燃焼排ガス中の残存酸素ガス濃度との関係式を利用して、混合気の空気比を求めるように構成されている。
【００２４】
このようにして、燃焼用混合気の空気比が１．０未満であっても、その燃焼用混合気に希釈空気を混合させて測定用バーナ１０にて燃焼させ、測定用バーナ１０による燃焼排ガス中に酸素ガスを残存させ、測定用バーナ１０による燃焼排ガス中の残存酸素ガス濃度に加えて、測定用バーナ１０に供給される混合気の供給量、および、測定用バーナ１０に供給される希釈空気の供給量を検出することによって、混合気の空気比を求めることが可能となるので、燃焼用混合気の空気比が１．０未満であっても、その燃焼用混合気の空気比を測定することが可能となる。
【００２５】
前記測定用バーナ１０は、上部に燃焼排ガス排出路１６が形成された有底円筒状の燃焼室形成体１７内に設けられ、燃焼用混合気供給路７から分岐された取り入れ路１８を通して燃焼用混合気の一部を混合気として取り入れ、その混合気と希釈空気供給路１９を通して供給される希釈空気とを混合し、その測定用混合気を燃焼するように構成されている。
そして、酸素センサ１４は、燃焼排ガス排出路１６を流動する燃焼排ガスに対して検出作用し、その燃焼排ガス中の残存酸素ガス濃度を検出するように構成されている。
【００２６】
前記取り入れ路１８には、上流側から、その取り入れ路１８を開閉する取り入れ開閉弁２０、その取り入れ路１８における燃焼用混合気の流量を調整する取り入れ調整弁２１、混合気流量センサ１３が設けられている。
また、希釈空気供給路１９には、上流側から、その希釈空気供給路１９を開閉する希釈空気開閉弁２２、その希釈空気供給路１９における希釈空気の流量を調整する希釈空気調整弁２３、希釈空気流量センサ１２が設けられている。
【００２７】
ちなみに、燃焼室形成体１７は、高さが２００〜３００ｍｍ、直径２００〜３００ｍｍの有底円形筒状のステンレスなどの金属板にて形成され、測定用バーナ１０が燃焼していることを確認できるように、燃焼室形成体１７の一部分にガラスののぞき窓２５などが形成されている。
また、取り入れ路１８および希釈空気供給路１９が、燃焼室形成体１７を貫通する状態で測定用バーナ１０に接続され、取り入れ路１８および希釈空気供給路１の貫通部分は、燃焼室形成体１７の外の空気が燃焼室形成体１７内に流動しないようにシールされている。
【００２８】
前記空気比演算手段１５、および、測定用バーナ１０の燃焼を制御する測定用バーナ燃焼制御手段２４を備えた空気比測定制御部Ｈ１が設けられ、測定用バーナ燃焼手段１１が、測定用バーナ燃焼制御手段２４、取り入れ開閉弁２０、取り入れ調整弁２１、希釈空気開閉弁２２、希釈空気調整弁２３などから構成されている。
【００２９】
前記空気比測定装置４における空気比演算手段１５の演算について説明する。
混合気流量センサ１３の検出値Ａ、希釈空気流量センサ１２の検出値Ｂ、および、酸素センサ１４の検出値Ｄにより、下記〔数１〕を用いて、燃焼用混合気中の燃料ガス比率Ｘを求め、その燃料ガス比率Ｘにより、下記〔数２〕を用いて、燃焼用混合気の空気比ｍを求めるようにしている。
ちなみに、燃焼用混合気中の燃料ガス比率をＸ、混合気流量センサ１３の検出値をＡ、希釈空気流量センサ１２の検出値をＢ、酸素センサ１４の検出値をＤとしている。
また、下記〔数１〕は、混合気流量センサ１３および希釈空気流量センサ１２を質量式のものを用い、燃料ガスとして１３Ａガスを使用した場合を示している。
【００３０】
【数１】
0004471534.tif 000002
【００３１】
【数２】
0004471534.tif 000003
【００３２】
上記〔数１〕の求め方について説明する。
上記〔数１〕は、混合気流量センサ１３の検出値、燃焼用混合気中の燃料ガス比率、および、混合気として取り入れた燃焼用混合気の流量などの関係から成り立つ下記〔数３〕と、酸素センサ１４の検出値、測定用バーナ１０の燃焼排ガス量、測定用バーナ１０にて燃焼されたあとの過剰空気量、および、測定用バーナ１０による燃焼排ガス中に残存する酸素ガス量などの関係から成り立つ下記〔数４〕とから求められる。
【００３３】
説明を加えると、混合気流量センサ１３の検出値Ａは、燃焼用混合気中の燃料ガス比率Ｘ、混合気として取り入れた燃焼用混合気の流量Ｑ、および、燃料ガスの種類に応じて異なる補正係数ａから求められるので、下記〔数３〕が成り立つ。
ちなみに、燃焼用混合気中の燃料ガス比率をＸ、混合気流量センサ１３の検出値をＡ、混合気として取り入れた燃焼用混合気の流量をＱ、燃料ガスの種類に応じて異なる補正係数をａとしている。
【００３４】
【数３】
Ａ＝｛１−（１−ａ）×Ｘ｝×Ｑ
【００３５】
また、酸素センサ１４の検出値は、測定用バーナ１０の燃焼排ガス量、測定用バーナ１０にて燃焼されたあとの過剰空気量、および、その過剰空気量に空気中の酸素ガス比率（０．２１）を掛けた測定用バーナ１０による燃焼排ガス中に残存する酸素ガス量から求められる。
そして、測定用バーナ１０の燃焼排ガス量は、燃焼用混合気中の燃料ガス比率Ｘ、混合気として取り入れた燃焼用混合気の流量Ｑ、および、燃焼用混合気１ｍ3 ／ｈを燃焼させたときの理論乾き排ガス量（９．９ｍ3 ／ｍ3 ）から求められ、測定用バーナ１０にて燃焼されたあとの過剰空気量は、測定用バーナ１０に供給した空気量から燃焼に使用された空気量を引いたものであり、燃焼用混合気中の燃料ガス比率Ｘ、混合気として取り入れた燃焼用混合気の流量Ｑ、希釈空気流量センサ１２の検出値Ｂなどから求められる。
以上のことから、酸素センサ１４の検出値は、燃焼用混合気中の燃料ガス比率、希釈空気流量センサの検出値、混合気として取り入れた燃焼用混合気の一部の流量などにより求められるので、下記〔数４〕が成り立つ。
ちなみに、燃焼用混合気中の燃料ガス比率をＸ、希釈空気流量センサの検出値をＢ、混合気として取り入れた燃焼用混合気の一部の流量をＱ、酸素センサ１４の検出値をＤとしている。
【００３６】
【数４】
0004471534.tif 000004
【００３７】
そして、上記〔数３〕を、混合気として取り入れた燃焼用混合気の流量Ｑについて整理し、その整理した式を上記〔数４〕に代入して、混合気として取り入れた燃焼用混合気の流量Ｑを消去し、その式を燃焼用混合気中の燃料ガス比率Ｘについて整理すると、上記〔数１〕が得られる。
【００３８】
〔別実施形態〕
（１）上記実施形態では、燃焼制御部Ｈと空気比測定制御部Ｈ１を別々に設ける例を示したが、ひとつの制御部Ｈを設けて、その制御部Ｈが、空気比演算手段１５および測定用バーナ燃焼制御手段２４を備えるとともに、空気比演算手段１５にて求められた空気比に基づいて、燃焼用混合気の空気比を調整するように構成して実施することも可能である。
【００３９】
（２）上記実施形態では、希釈空気流量センサ１２および混合気流量センサ１３として、質量式のものを用いた例を挙げたが、質量式に限られるものではなく、例えば、フローメータや膜式メータなども適応可能であり、各種のものが適応可能である。
なお、希釈空気流量センサ１２および混合気流量センサ１３として、質量式以外のものを用いた場合には、例示はしないが、燃焼用混合気の空気比を求めるための演算式が、上記〔数１〕〜〔数４〕とは異なる演算式になる場合がある。
【００４０】
（３）上記実施形態では、希釈空気供給路１９および取り入れ路１８をともに測定用バーナ１０に接続して、燃焼用混合気の一部を測定用バーナ１０に供給し、希釈空気も測定用バーナ１０に供給して、燃焼用混合気の一部に希釈空気を混合させるようにしているが、例えば、図２の点線で示すように、希釈空気供給路１９を取り入れ路１８の途中部分に接続し、その途中部分において、予め燃焼用混合気の一部に希釈空気を混合させた測定用混合気を測定用バーナ１０に供給するようにして実施することも可能である。
【００４１】
（４）上記実施形態では、本発明にかかる空気比測定方法として、空気比演算手段１５が、希釈空気の供給量、燃焼用混合気の供給量、および、測定用バーナ１０にて燃焼された燃焼排ガス中の残存酸素ガス濃度に基づいて、燃焼用混合気の空気比を求める方法を例示したが、燃焼用混合気の空気比の演算は、人為的に行う方法であってもよい。
【００４２】
（５）上記実施形態では、本発明にかかる空気比測定装置を用いた燃焼制御装置を例示したが、燃焼制御装置は必ずしも必要ではなく、空気比測定装置単独で実施することも可能である。
【図面の簡単な説明】
【図１】燃焼制御装置の概略構成図
【図２】空気比測定装置の概略構成図
【符号の説明】
１              燃焼用バーナ
４              空気比測定装置
１０            測定用バーナ
１１            測定用バーナ燃焼手段
１２            希釈空気供給量検出手段
１３            混合気量検出手段
１４            酸素ガス濃度検出手段
【図１】
0004471534.tif 000005
【図２】
0004471534.tif 000006